(57)【要約】【課題】フォーカス方向の動作の所定量を確保したうえで対物レンズ駆動手段の高さを薄くし、薄型の光ピックアップを提供する。【解決手段】対物レンズと、前記対物レンズを取り付けたレンズホルダと、前記対物レンズの光軸方向を巻回軸とし前記レンズホルダに取り付けられたフォーカシングコイルと、前記レンズホルダの側面に対向して配置されたマグネットを有する光ピックアップにおいて、前記レンズホルダの側面に、前記対物レンズの光軸方向に関して前記フォーカシングコイルよりも前記対物レンズから遠い側に、突出部を備えた光ピックアップとする。【選択図】図１
2012113780.tif 000002
【特許請求の範囲】
【請求項１】
対物レンズを取り付けたレンズホルダに取り付けられた突出部と、前記レンズホルダを覆うカバーと、前記対物レンズの光軸方向を巻回軸とし前記レンズホルダに取り付けられたフォーカシングコイルと、前記レンズホルダの側面に対向して配置されたマグネットとを有する光ピックアップにおいて、
前記マグネットと対向する側の前記レンズホルダの側面に前記突出部を設けてなり、
この突出部は前記フォーカシングコイルよりも下側に位置していることを特徴とする光ピックアップ。
【請求項２】
請求項１に記載の光ピックアップにおいて、
前記マグネットを３分割するとともに、
この３分割された前記マグネットのうち中央のマグネットは他のマグネットより前記レンズホルダの側面より離れる方向に薄くするとともに、
前記突出部は前記中央のマグネットに対向する位置に配置されていることを特徴とする光ピックアップ。
【請求項３】
請求項１に記載の光ピックアップにおいて、
前記中央のマグネットの厚さは、前記両側のマグネットの厚さよりも薄いことを特徴とする光ピックアップ。
【請求項４】
請求項１又は２のいずれかに記載の光ピックアップにおいて、
３分割された前記マグネットのうち中央のマグネットは他のマグネットより前記レンズホルダの側面より離れる方向に薄くするべく、前記中央のマグネットは円弧状の溝によって形成されていることを特徴とする光ピックアップ。
【請求項５】
請求項１又は２のいずれかに記載の光ピックアップにおいて、
前記マグネットはヨークに支持されるとともに、
３分割された前記マグネットのうち中央のマグネットは他のマグネットより前記レンズホルダの側面より離れる方向に段差を設けるべく、前記中央のマグネットが位置する前記ヨークの一部に凹部を設け、この凹部に前記中央のマグネットを収納したことを特徴とする光ピックアップ。
【発明の詳細な説明】
【技術分野】
【０００１】
本発明は、光ディスクの記録面上に記録された情報を読み出し、または光ディスクに情報を記録する光ディスク装置に備えられた光ピックアップに関する。
【背景技術】
【０００２】
光ディスク装置の光ピックアップに備えられる一般的な対物レンズ駆動手段は、対物レンズを搭載したレンズホルダと、レンズホルダに取り付けられたフォーカシングコイルおよびトラッキングコイルと、これらを含む可動部を支持する支持部材と、ヨークおよびマグネットとから構成されている。
【０００３】
フォーカシングコイルに駆動電流を印加すると、マグネットからの磁束との作用によって生じる電磁力で可動部が光ディスク面に接近、または離遠する方向であるフォーカシング方向に駆動される。同様にトラッキングコイルに駆動電流を印加すると、マグネットからの磁束との作用により生じる電磁力により、可動部が光ディスクの半径方向であるトラッキング方向に駆動される。
【０００４】
通常、対物レンズ駆動手段には、可動部の動作を所定の量で規制するストッパが必要である。このような対物レンズ駆動手段の従来例として特開２００９−７６１９６号公報（特許文献１）がある。特許文献１では、レンズホルダにメカストッパを設ける構成が記載されている。
【先行技術文献】
【特許文献】
【０００５】
【特許文献１】特開２００９−７６１９６号公報（第４２、４４頁、図６３、６５、７０）
【発明の概要】
【発明が解決しようとする課題】
【０００６】
上記特許文献１では、図６５を参照すると、メカストッパはフォーカシング方向においてフォーカシングコイルよりも対物レンズに近い側に設けられている。また、例えば特許文献１の第４４頁および図７０を参照すると、フォーカシングコイルの巻回軸は対物レンズの光軸と垂直な方向となっている。
【０００７】
一般的に、メカストッパとフォーカシング方向の動作を規制するカバーとの間隔は、光ディスクの面振れに対応するためにフォーカシング方向動作の所定量が必要である。また、カバーと光ディスクの間隔は、カバーと光ディスクとの接触を防止するために所定量が必要である。
【０００８】
したがって、対物レンズ駆動手段のフォーカシング方向の高さは、メカストッパとカバーとの間隔に、メカストッパよりも対物レンズから遠い側に配置されたフォーカシングコイルの高さを合わせた大きさになるので、従来の対物レンズ駆動手段では、対物レンズ駆動手段の高さが大きくなる可能性があった。
【０００９】
本発明の目的は、フォーカシング方向の動作の所定量を確保したうえで対物レンズ駆動手段の高さを薄くし、薄型の光ピックアップを提供することにある。
【課題を解決するための手段】
【００１０】
上記目的は、対物レンズを取り付けたレンズホルダに取り付けられた突出部と、前記レンズホルダを覆うカバーと、前記対物レンズの光軸方向を巻回軸とし前記レンズホルダに取り付けられたフォーカシングコイルと、前記レンズホルダの側面に対向して配置されたマグネットとを有する光ピックアップにおいて、前記マグネットと対向する側の前記レンズホルダの側面に前記突出部を設けてなり、この突出部は前記フォーカシングコイルよりも下側に位置していることにより達成される。
【００１１】
また上記目的は、前記マグネットを３分割するとともに、この３分割された前記マグネットのうち中央のマグネットは他のマグネットより前記レンズホルダの側面より離れる方向に薄くするとともに、前記突出部は前記中央のマグネットに対向する位置に配置されることが好ましい。
【００１２】
また上記目的は、前記中央のマグネットの厚さは、前記両側のマグネットの厚さよりも薄くすることが好ましい。
【００１３】
また上記目的は、３分割された前記マグネットのうち中央のマグネットは他のマグネットより前記レンズホルダの側面より離れる方向に薄くするべく、前記中央のマグネットは円弧状の溝によって形成されることが好ましい。
【００１４】
また上記目的は、前記マグネットはヨークに支持されるとともに、３分割された前記マグネットのうち中央のマグネットは他のマグネットより前記レンズホルダの側面より離れる方向に段差を設けるべく、前記中央のマグネットが位置する前記ヨークの一部に凹部を設け、この凹部に前記中央のマグネットを収納することが好ましい。
【発明の効果】
【００１５】
本発明によれば、フォーカシング方向の動作の所定量を確保したうえで対物レンズ駆動手段の高さを薄くし、薄型の光ピックアップを提供できる。
【図面の簡単な説明】
【００１６】
【図１】本発明の実施例に係わる対物レンズ駆動手段の斜視図である。
【図２】図１に示した対物レンズ駆動手段の上面図である。
【図３】図１に示した対物レンズ駆動手段の断面図である。
【図４】本発明に係る光ピックアップを示す斜視図である。
【図５】本発明の第２の実施例に関わるマグネットとヨークの斜視図である。
【図６】本発明の第３の実施例に関わる対物レンズ駆動手段の上面図である。
【発明を実施するための形態】
【００１７】
ところで、本発明はノート型パソコンの薄型化にともない、光ピックアップの薄型化を検討していく過程において発明されたものである。
【００１８】
フォーカシングコイルが対物レンズの光軸方向を巻回軸としてレンズホルダに取り付けられていた従来の対物レンズ駆動手段では、レンズホルダの上面（レンズの横）に突出部を取り付け、この突出部をカバーに当ててストッパーとしていた。しかしながらこの構造であると、レンズホルダの上面を基準面として下方にフォーカシングコイルやトラキングコイルを取り付けなければならず、光ピックアップ薄型化の弊害となっていた。
【００１９】
そこで本発明の発明者らは、突出部がフォーカシングコイルより下側であれば薄型化が可能であることを見出して種々検討した結果、以下のごとき実施例を得た。
【００２０】
以下、本発明の実施例を図面を用いて説明する。
【実施例１】
【００２１】
本発明に係わる光ピックアップ１１０が有する対物レンズ駆動手段５０について以下に説明する。
【００２２】
図１は本発明の光ピックアップ１１０の対物レンズ駆動手段５０の斜視図である。  
図２は対物レンズ駆動手段５０の主要部の上面図である。  
図３は対物レンズ１の中心を通りｘｚ面に平行な面での対物レンズ駆動手段５０の主要部の断面図である。
【００２３】
なお、図中、ｚ方向が対物レンズ１を対物レンズ１の光軸に沿って、図示していない光ディスクに接近または離遠させるフォーカシング方向であり、ｙ方向が対物レンズ１を光ディスクの半径方向に動作させるトラッキング方向となる。ｙ方向とｚ方向の双方に直交する方向をｘ方向とする。
【００２４】
図１〜図３において、対物レンズ駆動手段５０の対物レンズ１は、レンズホルダ２の上面に搭載されている。フォーカシングコイル３は、対物レンズ１の光軸方向を巻回軸として形成され、レンズホルダ２に取り付けられている。トラッキングコイル４は、フォーカシング方向およびトラッキング方向と平行なレンズホルダ２の２つの側面２ａ、２ｂに取り付けられている。
【００２５】
支持部材６は、それぞれ一端側がレンズホルダ２に固定され、他方が固定部７に固定されている。対物レンズ１とレンズホルダ２とフォーカシングコイル３およびトラッキングコイル４を含む可動部５は、支持部材６により固定部７に対して変位可能に支持される。フォーカシングコイル３およびトラッキングコイル４は、支持部材６の一端と半田等により電気的に接続される。
【００２６】
フォーカシング方向およびトラッキング方向と平行なレンズホルダ２の２つの側面２ａ、２ｂに対向するそれぞれの側において、３個ずつのマグネット１１ａ、１１ｂ、１１ｃおよび１１ｄ、１１ｅ、１１ｆがトラッキング方向に沿って配置され、磁性体であるヨーク９に取り付けられる。
【００２７】
レンズホルダ２の２つの側面２ａ、２ｂに対向して配置された３個ずつのマグネットのうち、中央のマグネット１１ｂおよび１１ｅのｘ方向の厚さは、両側のマグネット１１ａ、１１ｃ、および１１ｄ、１１ｆのｘ方向の厚さよりも薄くなっている。マグネット１１ａ〜１１ｃ、および１１ｄ〜１１ｆのヨーク９への取り付け面は、それぞれ同一の面なので、中央のマグネット１１ｂのレンズホルダ２の側面２ａに対向する面は、両側のマグネット１１ａ、１１ｃのレンズホルダ２の側面２ａに対向する面よりも、レンズホルダ２の側面２ａから離れている。また、中央のマグネット１１ｅのレンズホルダ２の側面２ｂに対向する面は、両側のマグネット１１ｄ、１１ｆのレンズホルダ２の側面２ｂに対向する面よりも、レンズホルダ２の側面２ｂから離れている。
【００２８】
レンズホルダ２の２つの側面２ａ、２ｂには、フォーカシング方向においてフォーカシングコイル３よりも対物レンズ１から遠い側に、フォーカシング方向およびトラッキング方向に直交する方向に突出した突出部８が備えられている。
【００２９】
レンズホルダ２に設けた突出部８は、中央のマグネット１１ｂおよび１１eに対向する位置に配置される。すなわち、中央のマグネット１１ｂおよび１１ｅが、両側のマグネット１１ａ、１１ｃ、および１１ｄ、１１ｆよりも、レンズホルダ２の側面２ａ、２ｂから離れることによって生じる空間に、レンズホルダ２に設けた突出部８が配置されることになる。
【００３０】
つまり、本実施例では突出部８をフォーカシングコイル３の下側に取り付けたことによって、突出部８がマグネット１１ａ〜１１ｆの中の中央のマグネット１１ｂと１１ｅに近接することになる。そこで本実施例では、３分割されたマグネット１１ａ〜１１ｆのうち中央のマグネット１１ｂと１１ｅを他のマグネットの厚みより薄くしたものである。これにより、突出部８が中央のマグネット１１ｂと１１e部分によって形成された空間で可動できるようにしたものである。
【００３１】
このような対物レンズ駆動手段５０において、フォーカシングコイル３に電流を流すとマグネット１１ａ〜１１ｆとの電磁作用によりフォーカシング方向の駆動力が発生し、可動部５がフォーカシング方向に動作する。また、トラッキングコイル４に電流を流すとマグネット１１ａ〜１１ｆとの電磁作用によりトラッキング方向の駆動力が発生し、可動部５がトラッキング方向に動作する。
【００３２】
図３に示すように、カバー１０は可動部５、マグネット１１ａ〜１１ｆ、ヨーク９の上方に配置され、両端部がヨーク９に取り付けられる。カバー１０は可動部５がフォーカシング方向の上方、すなわち光ディスク１０１に近づく方向への動作を規制する役割を有しており、可動部５がフォーカシング方向の上方へ大きく動作した場合に、レンズホルダ２に設けられた突出部８がカバー１０に当接し、フォーカシング方向の動作が規制される。
【００３３】
図４は図１〜図３に示した対物レンズ駆動手段５０を備えた光ピックアップ１１０を示す図である。  
図４において、光ピックアップ１１０にはレーザ発光素子１１１、光検出器１１２等が備えられている。レーザ発光素子１１１から発せられたレーザ光は、対物レンズ１により図示していない光ディスクに集光される。集光されたレーザ光は光ディスクで反射し、対物レンズ１を通過し、光検出器１１２に入射する。光検出器１１２で得られた信号からサーボ信号が検出され、そのサーボ信号に基づいて対物レンズ駆動手段５０のフォーカシングコイル３およびトラッキングコイル４に駆動信号を入力し、対物レンズ１の位置決め制御が行われる。また、光検出器１１２で得られた信号から再生信号が検出され、光ディスクの情報が再生される。
【００３４】
このように構成された本発明の効果について説明する。  
対物レンズ駆動手段５０と光ディスク１０１のフォーカシング方向の位置関係を示した図３のように、カバー１０と光ディスク１０１の間隔は、カバー１０と光ディスク１０１との接触を防止するため所定の量が設けられている。また、可動部５のフォーカシング方向の動作量も光ディスク１０１の面振れに対応するために仕様で定められた量が必要であり、フォーカシング方向の上方向の動作量は、カバー１０とレンズホルダ２に設けられた突出部８との間隔で設定される。また、フォーカシング方向の下方向の動作量は、レンズホルダ２の下面とヨーク９あるいは図４に示した光ピックアップ１１０の筺体との間隔で設定される。
【００３５】
したがって、対物レンズ駆動手段５０の高さは、フォーカシング方向の上方向の動作量と、フォーカシング方向の動作を規制する突出部８の上面からレンズホルダ下面までの寸法と、フォーカシング方向の下方向の動作量で決まる。
【００３６】
本発明では、フォーカシングコイル３の巻回軸を対物レンズ１の光軸方向とすることで、フォーカシングコイル３の高さを薄くすることができるので、そのフォーカシングコイル３をレンズホルダに設けた突出部８よりも対物レンズ１に近い側に配置することが可能となる。
【００３７】
したがって、突出部８よりも下側にはフォーカシングコイル３を配置することがなくなり、突出部８とレンズホルダ２の下面の距離は、突出部８がストッパとして機能する寸法だけ確保すればよい。これにより、対物レンズ駆動手段５０の高さを薄くすることができ、薄型の光ピックアップ１１０を構成することができる。
【００３８】
一般的にフォーカシング方向の動作量は±１mm程度必要であり、特許文献１に記載されたような巻回軸が対物レンズの光軸と垂直方向となるフォーカシングコイルでは、フォーカシング方向の高さは２mm程度は必要である。このフォーカシングコイルがレンズホルダの側面に取り付けられるので、従来例ではレンズホルダの高さは２mm程度以上は必要となる。
【００３９】
これに対して本発明では、フォーカシングコイル３の巻回軸を対物レンズ１の光軸方向とすることでフォーカシングコイル３の高さを0.5mm程度とすることができる。そして、突出部８の高さは、突出部８の強度が確保できれば良いので0.5mm程度とすることができる。レンズホルダ２の上面からフォーカシングコイル３までの距離を、フォーカシングコイル３の取り付け時の枠として0.5mm程度とすると、本発明ではレンズホルダ２の高さは1.5mm程度となり、従来例に対して0.5mm程度薄くできる効果がある。
【実施例２】
【００４０】
図５は本発明の第２の実施例に関わるマグネットとヨークの斜視図である。  
図５において、フォーカシング方向およびトラッキング方向と平行なレンズホルダ２の２つの側面２ａ、２ｂに対向するそれぞれの側において、３個ずつのマグネット１１ａ、１１ｂ、１１ｃおよび１１ｄ、１１ｅ、１１ｆがトラッキング方向に沿って配置され、磁性体であるヨーク９に取り付けられる。
【００４１】
レンズホルダ２の２つの側面２ａ、２ｂに対向して配置された３個ずつのマグネットのうち、中央のマグネット１１ｂおよび１１ｅのｘ方向の厚さは、両側のマグネット１１ａ、１１ｃ、および１１ｄ、１１ｆのｘ方向の厚さよりも薄くなるように上下方向の円弧状溝によって形成されている。
【００４２】
レンズホルダ２に設けた突出部８は、中央のマグネット１１ｂおよび１１eに対向する位置に配置される。すなわち、中央のマグネット１１ｂおよび１１ｅが、両側のマグネット１１ａ、１１ｃ、および１１ｄ、１１ｆよりも、レンズホルダ２の側面２ａ、２ｂから円弧状の溝によって徐々に離れることによって生じる空間に、レンズホルダ２に設けた突出部８が配置されることになる。
【００４３】
つまり、本実施例では突出部８をフォーカシングコイル３の下側に取り付けたことによって、突出部８がマグネット１１ａ〜１１ｆの中の中央のマグネット１１ｂと１１ｅに近接することになる。そこで本実施例では、３分割されたマグネット１１ａ〜１１ｆのうち中央のマグネット１１ｂと１１ｅを他のマグネットの厚みより徐々に薄くなるような上下方向の溝形状としたものである。これにより、突出部８が中央のマグネット１１ｂと１１e部分によって形成された空間で可動できるようにしたものである。
【００４４】
なお、本実施例では３分割マグネットとし、中央のマグネットを円弧状溝形状としたが必ずしも３分割のマグネットである必要はなく、一体型マグネットでも十分効果を得ることができる。
【実施例３】
【００４５】
次に、本発明の光ピックアップの対物レンズ駆動手段の他の実施例を図６に示す。  
図６は本発明の他の実施例に関わる対物レンズ駆動手段の上面図である。  
本実施例では、中央のマグネット２１ｂ、２１ｅのｘ方向の厚さと、ヨーク１９の形状が実施例１と異なる。その他の構成は実施例１と同じであり、同じ部分には同じ符号を付けている。
【００４６】
図６において、中央のマグネット２１ｂ、２１ｅのｘ方向の厚さが、両側のマグネット１１ａ、１１ｃ、１１ｄ、１１ｆのｘ方向の厚さと同じである。そして、中央のマグネット２１ｂのヨーク１９への取り付け面は、両側のマグネット１１ａ、１１ｃのヨーク１９への取り付け面よりも、レンズホルダ２の側面２ａから離れている。また、中央のマグネット２１ｅのヨーク１９への取り付け面は、両側のマグネット１１ｄ、１１ｆのヨーク１９への取り付け面よりも、レンズホルダ２の側面２ｂから離れている。
【００４７】
したがって、中央のマグネット２１ｂのレンズホルダ２の側面２ａに対向する面は、両側のマグネット１１ａ、１１ｃのレンズホルダ２の側面２ａに対向する面よりも、レンズホルダ２の側面２ａから離れている。また、中央のマグネット２１ｅのレンズホルダ２の側面２ｂに対向する面は、両側のマグネット１１ｄ、１１ｆのレンズホルダ２の側面２ｂに対向する面よりも、レンズホルダ２の側面２ｂから離れている。
【００４８】
レンズホルダ２に設けた突出部８は、中央のマグネット２１ｂおよび２１ｅに対向する位置に配置される。すなわち、中央のマグネット２１ｂおよび２１ｅが、両側のマグネット１１ａ、１１ｃ、および１１ｄ、１１ｆよりも、レンズホルダ２の側面２ａ、２ｂから離れることによって生じる空間に、レンズホルダ２に設けた突出部８が配置される。
【００４９】
このように構成することで、対物レンズ駆動手段の高さを薄くすることができる効果は実施例１と同様である。その上で、本実施例では、中央のマグネット２１ｂ、２１ｅのｘ方向の厚さと両側のマグネット１１ａ、１１ｃ、１１ｄ、１１ｆのｘ方向の厚さが同じなので、マグネットの寸法確認が容易であり、また、マグネットをヨーク１９に取り付ける際の取り扱いが容易になるという効果がある。
【００５０】
以上のごとく、本発明によれば、フォーカシングコイルの巻回軸を対物レンズの光軸方向とすることで、フォーカシングコイルの高さを薄くすることが可能であり、また、そのフォーカシングコイルよりも下側、すなわち対物レンズから遠い側にストッパとなる突出部を設けることで、突出部より下側にはコイルを配置することがなくなり、対物レンズ駆動手段の高さを薄くすることが可能であり、薄型の光ピックアップを提供することができる。
【符号の説明】
【００５１】
１・・・対物レンズ、２・・・レンズホルダ、２ａ、２ｂ・・・レンズホルダの側面、３・・・フォーカシングコイル、４・・・トラッキングコイル、５・・・可動部、６・・・支持部材、７・・・固定部、８・・・突出部、９・・・ヨーク、１０・・・カバー、１１ａ、１１ｃ、１１ｄ、１１ｆ・・・両側のマグネット、１１ｂ、１１ｅ・・・中央のマグネット、１９・・・ヨーク、２１ｂ、２１ｅ・・・中央のマグネット、５０・・・対物レンズ駆動手段、１０１・・・光ディスク、１１０・・・光ピックアップ、１１１・・・レーザ発光素子、１１２・・・光検出器。
【図１】
2012113780.tif 000003
【図２】
2012113780.tif 000004
【図３】
2012113780.tif 000005
【図４】
2012113780.tif 000006
【図５】
2012113780.tif 000007
【図６】
2012113780.tif 000008